(57)【要約】【課題】抜け止め用部材を用いることなくシャーシにギアトレイを保持し、さらに、ギアトレイを保持する部材の変形や破壊を防止することができるディスク装置を提供する。【解決手段】ディスク装置は、ディスク記録媒体が載置されるディスクトレイと、ディスクトレイを駆動するためのギアトレイと、ディスクトレイ及びギアトレイを収容するシャーシと、を備える。ギアトレイは、凹部が形成されるギアトレイ本体と、凹部の内面から延設される弾性ばね部と、弾性ばね部に設けられる爪部と、を有する。シャーシには、ギアトレイを回動可能に保持するボスが形成される。ボスは、ギアトレイ本体の凹部に嵌合される中空の嵌合部と、嵌合部の内側に設けられる係合部と、を有する。ギアトレイの弾性ばね部は嵌合部の内側に挿通されている。ギアトレイの爪部はボスの係合部と係合している。【選択図】図４
2014044772.tif 000002
【特許請求の範囲】
【請求項１】
ディスク記録媒体が載置されるディスクトレイと、
前記ディスクトレイを駆動するためのギアトレイと、
前記ディスクトレイ及び前記ギアトレイを収容するシャーシと、
を備え、
前記ギアトレイは、凹部が形成されるギアトレイ本体と、前記凹部の内面から延設される弾性ばね部と、前記弾性ばね部に設けられる爪部と、を有し、
前記シャーシには、前記ギアトレイを回動可能に保持するボスが形成され、
前記ボスは、前記ギアトレイ本体の前記凹部に嵌合される中空の嵌合部と、前記嵌合部の内側に設けられる係合部と、を有し、
前記ギアトレイの前記弾性ばね部は前記嵌合部の内側に挿通されており、
前記ギアトレイの前記爪部は前記ボスの前記係合部と係合していることを特徴とするディスク装置。
【請求項２】
前記ギアトレイの前記弾性ばね部は樹脂材料で形成されることを特徴とする請求項１に記載のディスク装置。
【請求項３】
前記ギアトレイの前記弾性ばね部は３つ以上であり、
前記弾性ばね部が挿通される方向からみた平面視において、各々の前記弾性ばね部が、前記嵌合部の内面に沿って等間隔に配置されることを特徴とする請求項１又は請求項２に記載のディスク装置。
【請求項４】
前記ギアトレイの前記爪部の先端のみが前記ボスの前記係合部と係合することを特徴とする請求項１〜請求項３のいずれかに記載のディスク装置。
【請求項５】
前記ギアトレイの回転軸に対して径方向からみた第１の平面視、及び／又は、前記回転軸及び前記径方向に垂直な方向からみた第２の平面視において、前記爪部の上面は、少なくとも１つの曲面又は角が形成される形状となることを特徴とする請求項１〜請求項３のいずれかに記載のディスク装置。
【発明の詳細な説明】
【技術分野】
【０００１】
本発明は、ディスク記録媒体に対しデータの記録又は読み出しを行うディスク装置に関する。
【背景技術】
【０００２】
映像、音声又は情報を記録するディスク記録媒体として、ＣＤ（Compact Disc）、ＤＶＤ（Digital Versatile Disc）等が知られている。これらのディスク記録媒体を用いるディスク装置では、ディスク記録媒体の記録面に対して光ヘッドよりレーザ光を照射し、データの記録を行う。また、ディスク記録媒体の記録面で反射してきた光を検出することで、データの読出しを行っている。
【０００３】
一般的なディスク装置では、外装ハウジングのフロントパネルに設けられたスリット状の出入り口より、ディスク記録媒体が載置されるディスクトレイが出入りする。ディスクトレイが出入りするときの駆動力は、駆動モータからギアトレイを介して伝達される。このギアトレイは、シャーシに保持されており、ディスクトレイに設けられるトレイラックと噛合っている。駆動モータによりギアトレイが回動すると、ギアトレイと噛合っているトレイラックがディスクトレイの出入りする方向に駆動される。この駆動機構により、ディスクトレイに駆動力が伝達される。
【０００４】
ディスクトレイが駆動されるとき、トレイラックと噛合うギアトレイには荷重が作用する。この荷重により、ギアトレイは保持部材から抜ける方向に動く。そのため、従来では、特許文献１〜３のように、ギアトレイを保持する様々な工夫がなされている。
【０００５】
たとえば、特許文献１では、駆動ピニオンがディスク載置用トレイに設けられたトレイラックと噛み合う。ローダーシャーシに立設された支軸が駆動ピニオンの中心孔に挿通されることにより、駆動ピニオンは支軸に外嵌される。さらに、支軸の雄ねじ部が、ローダーシャーシに形成されたねじ穴にねじ込まれる。このとき、駆動ピニオンの小径部及び大径部の間の段部に支軸の頭部が当接又は接近する。また、特許文献２では、ボスに支持されるギアが、ディスクトレイに設けられたトレイラックに噛合う。ボスを切り欠いて設けられる１つの爪がこのギアを係止することにより、ディスクトレイに設けられたトレイラックと噛合うギアがベースシャーシに取り付けられる。また、特許文献３では、光ピックアップユニットを保持するラックを移動させるためのギアに、ギアシャフトが設けられている。このギアシャフトは、ギアを回転自在に支持するギア支持部の軸支孔に挿通される。このギアシャフトの上部の径は軸支孔よりも大きくなっているので、ギアはギア支持部に回転可能に支持される。
【先行技術文献】
【特許文献】
【０００６】
【特許文献１】特開２００８−１８１６０５号公報
【特許文献２】特開２００３−１２３３６６号公報
【特許文献３】特開２００７−２５０１１６号公報
【発明の概要】
【発明が解決しようとする課題】
【０００７】
しかしながら、特許文献１では、ディスク載置用トレイを駆動するための駆動ピニオンが支軸から抜けないようにするために、頭部及び雄ねじ部を有する支軸を用いる。そのため、部品点数が多くなる。また、駆動ピニオンを支軸に外嵌する工程では、支軸の雄ねじ部をローダーシャーシのねじ穴にねじ込む必要があるため、手間がかかる。
【０００８】
また、特許文献２では、ギアが１つの爪で係止されるため、ギアはシャーシに安定して保持されていない。また、爪はボスを切り欠いて形成されるため、ディスクトレイが駆動されるとき、ギアに作用する荷重により、ギアを支持するボスが破損し易い。また、特許文献３では、ディスクトレイが駆動されるとき、ギアに作用する荷重により、ギアシャフトが折れてしまうことがある。
【０００９】
本発明はこのような状況を鑑みてなされたものであり、その目的は、抜け止め用部材を用いることなくシャーシにギアトレイを保持し、さらに、ギアトレイを保持する部材の変形や破壊を防止することができるディスク装置を提供することである。
【課題を解決するための手段】
【００１０】
上記目的を達成するために、本発明のディスク装置は、ディスク記録媒体が載置されるディスクトレイと、前記ディスクトレイを駆動するためのギアトレイと、前記ディスクトレイ及び前記ギアトレイを収容するシャーシと、を備え、前記ギアトレイは、凹部が形成されるギアトレイ本体と、前記凹部の内面から延設される弾性ばね部と、前記弾性ばね部に設けられる爪部と、を有し、前記シャーシには、前記ギアトレイを回動可能に保持するボスが形成され、前記ボスは、前記ギアトレイ本体の前記凹部に嵌合される中空の嵌合部と、前記嵌合部の内側に設けられる係合部と、を有し、前記ギアトレイの前記弾性ばね部は前記嵌合部の内側に挿通されており、前記ギアトレイの前記爪部は前記ボスの前記係合部と係合していることを特徴とする。
【００１１】
上記構成によれば、シャーシに形成されるボスの嵌合部はギアトレイ本体の凹部に嵌合される。ギアトレイの弾性ばね部は嵌合部の内側に挿通されている。ギアトレイの爪部は嵌合部の内側に形成される係合部と係合している。この係合により、ボスに対するギアトレイの抜けを防止することができる。また、ギアトレイがディスクトレイを駆動するときには、ギアトレイに荷重が作用する。この荷重は弾性ばね部の弾性により緩和される。そのため、ボスの嵌合部に伝達される荷重を軽減又は遮断することができるので、ボスの変形や破壊を防止することができる。従って、抜け止め用部材を用いることなくシャーシにギアトレイを回動可能に保持し、さらに、ギアトレイを保持する部材の変形や破壊を防止することができる。
【００１２】
上記構成において、前記ギアトレイの前記弾性ばね部は樹脂材料で形成されてもよい。
【００１３】
上記構成によれば、ギアトレイの弾性ばね部が樹脂材料で形成されるので、弾性ばね部は比較的強い弾性を示す。そのため、ギアトレイの爪部をボスの係合部にスナップフィットで係合させることができる。言い換えると、ギアトレイの弾性ばね部が弾性変形した状態で、弾性ばね部をボスの嵌合部の内側に挿通したのち、ギアトレイの爪部を嵌合部の内側の係合部に係合させることができる。従って、容易にギアトレイをボスに嵌合することができる。また、弾性ばね部の高い弾性により、ギアトレイに作用する荷重を緩和する能力がより高くなる。従って、ボスの嵌合部に伝達される荷重を軽減又は遮断する効果をより高めることができる。
【００１４】
また、上記構成において、前記ギアトレイの前記弾性ばね部は３つ以上であり、前記弾性ばね部が挿通される方向からみた平面視において、各々の前記弾性ばね部が、前記嵌合部の内面に沿って等間隔に配置されてもよい。
【００１５】
上記構成によれば、３つ以上の弾性ばね部は、弾性ばね部が挿通される方向からみた平面視において、嵌合部の内面に沿って等間隔に配置される。そのため、弾性ばね部が挿通される方向に対してどの角度から荷重がギアトレイに作用しても、弾性ばね部の弾性によりその荷重を緩和できる。そのため、ボスの嵌合部に伝達される荷重を安定して軽減又は遮断することができる。
【００１６】
また、上記構成において、前記ギアトレイの前記爪部の先端のみが前記ボスの前記係合部と係合してもよい。
【００１７】
上記構成によれば、ギアトレイの爪部の先端のみがボスの係合部と係合するので、ギアトレイに作用する荷重の回転軸方向の荷重成分を爪部の弾性により緩和することができる。従って、ボスに対するギアトレイの抜けを防止する効果をより高めることができる。
【００１８】
或いは、上記構成において、前記ギアトレイの回転軸に対して径方向からみた第１の平面視、及び／又は、前記回転軸及び前記径方向に垂直な方向からみた第２の平面視において、前記爪部の上面は、少なくとも１つの曲面又は角が形成される形状となっていてもよい。
【００１９】
上記構成によれば、ギアトレイの回転軸に対する径方向からみた第１の平面視、及び径方向に垂直な方向からみた第２の平面視において、爪部の上面を少なくとも１つの曲面又は角が形成される形状となるので、ギアトレイの爪部の上面がボスの係合部と係合する部分を狭くすることができる。言い換えると、爪部の上面がボスの係合部に当接し得る面積を少なくすることができる。そのため、ギアトレイが回動しているときに、爪部の上面が係合部に当接しても、当接した部分に生じる摩擦抵抗を少なくすることができる。従って、ギアトレイの回動が阻害され難くすることができる。
【発明の効果】
【００２０】
本発明によれば、抜け止め用部材を用いることなくシャーシにギアトレイを保持し、さらに、ギアトレイを保持する部材の変形や破壊を防止することができるディスク装置を提供することができる。
【図面の簡単な説明】
【００２１】
【図１】本実施形態に係るディスク装置のディスクローダーユニットの透視図である。
【図２】本実施形態に係るディスクローダーユニットの斜視図である。
【図３】本実施形態に係るディスクローダーユニットの上面図である。
【図４】ギアトレイを保持するボスが形成されるローダーシャーシの断面図である。
【図５】本実施形態に係るギアトレイの上面図である。
【図６】本実施形態に係るギアトレイの側面図である。
【図７】本実施形態に係るギアトレイの下面図である。
【図８】本実施形態に係るギアトレイの断面図である。
【図９】本実施形態に係る爪部を示す図である。
【図１０】本実施形態の第１変形例に係る爪部の一例を示す図である。
【図１１】本実施形態の第２変形例に係る爪部の一例を示す図である。
【図１２】本実施形態の第３変形例に係る爪部の一例を示す図である。
【図１３】本実施形態の第４変形例に係る爪部の一例を示す図である。
【図１４】本実施形態の第５変形例に係る爪部の一例を示す図である。
【発明を実施するための形態】
【００２２】
以下に、本発明の実施形態について、図面を参照して説明する。図１〜３は、本実施形態に係るディスク装置のディスクローダーユニット１を示す図である。図１は、本実施形態に係るディスク装置のディスクローダーユニットの透視図である。図２は、本実施形態に係るディスクローダーユニットの斜視図である。図３は、本実施形態に係るディスクローダーユニットの上面図である。なお、便宜上、図２及び図３では、ディスクトレイ２を省略している。
【００２３】
本実施形態に係るディスク装置は、ディスク記憶媒体にデータを記録する機能、及び／又は、ディスク記憶媒体からデータを読み出す機能を有する。ディスク記憶媒体は特に限定しないが、その例として、たとえば、ＣＤ（Compact Disc）、ＤＶＤ（Digital Versatile Disc）、ＢＤ（Blu-ray  Disc）などの光ディスク記憶媒体を挙げることができる。ディスク記憶媒体は、ディスク装置のディスクローダーユニット１によって、ディスク装置内部の所定位置に搬送（ローディング）され、且つ、ディスク装置から排出（アンローディング）される。
【００２４】
ディスク装置のディスクローダーユニット１は、ディスクトレイ２と、ローダーシャーシ３と、駆動モータ（不図示）と、ギアトレイ４と、を備えている。ディスクトレイ２には、ディスク記憶媒体が載置される。ディスクトレイ２は、ディスク記憶媒体をローディング又はアンローディングするための搬送トレイである。このディスクトレイ２の下面にはトレイラック２１が設けられる。このトレイラック２１には、ディスクトレイ２が駆動される方向に並ぶ複数の歯が形成される。
【００２５】
ローダーシャーシ３は、ディスクトレイ２と、駆動モータ（不図示）と、ギアトレイ４と、を収容するシャーシである。ローダーシャーシ３には、ギアトレイ４を回動可能に保持するボス３１が形成される。図４は、ギアトレイを保持するボスが形成されるローダーシャーシの断面図である。なお、図４は、図３の一点鎖線Ｘ−Ｘに沿うローダーシャーシ３の断面を示している。図４に示すように、このボス３１は、嵌合部３１１と、係合部３１２と、を有する。嵌合部３１１は、ローダーシャーシ３から一体に突設される。この嵌合部３１１は中空の円筒形状をしている。係合部３１２は、ギアトレイ４を係止するために嵌合部３１１の内側に設けられる。
【００２６】
駆動モータ（不図示）は、ディスクトレイ２などに駆動力を与える動力源である。
【００２７】
ギアトレイ４は、駆動モータ（不図示）の駆動力をディスクトレイ２に伝達し、ディスクトレイ２を駆動するためのギアである。図示しない駆動力伝達機構を介して駆動モータ（不図示）からギアトレイ４に駆動力が伝達されると、ギアトレイ４は回動する。ギアトレイ４はトレイラック２１の複数の歯と噛み合っている。そのため、ギアトレイ４が回動すると、トレイラック２１を介してディスクトレイ２に駆動力が伝達され、ディスクトレイ２がローディング方向Ａ又はアンローディング方向Ｂに駆動される。
＜ギアトレイの構造＞
【００２８】
次に、本実施形態に係るギアトレイ４の構造について詳細に説明する。図５〜図８は、ギアトレイ４の構造を示す図である。図５は、本実施形態に係るギアトレイの上面図である。図６は、本実施形態に係るギアトレイの側面図である。図７は、本実施形態に係るギアトレイの下面図である。また、図８は、本実施形態に係るギアトレイの断面図である。なお、図８は、図５の一点鎖線Ｙ−Ｙに沿うギアトレイ４の断面を示している。図５〜図８に示すように、ギアトレイ４は、ギアトレイ本体４１と、弾性ばね部４２と、爪部４３と、を有する。
【００２９】
ギアトレイ本体４１の側面には、トレイラック２１の歯と噛合う複数の歯が形成されている。また、ギアトレイ本体４１の下面には、凹部４１１が形成される。ギアトレイ本体４１の凹部４１１にボス３１の嵌合部３１１が嵌合されることにより、ギアトレイ４はローダーシャーシ３のボス３１に保持される。ギアトレイ本体４１の凹部４１１の内面には、弾性ばね部４２がギアトレイ本体４１と一体に設けられている。
【００３０】
弾性ばね部４２はギアトレイ本体４１の凹部４１１の内面から延設される樹脂ばねである。弾性ばね部４２は樹脂材料で形成されるので、弾性ばね部４２は比較的強い弾性を示す。ギアトレイ４がディスクトレイ２を駆動するときには、ギアトレイ４に荷重が作用する。この荷重は弾性ばね部４２の弾性により緩和される。そのため、ボス３１の嵌合部３１１に伝達される荷重を軽減又は遮断することができるので、ボス３１の変形や破壊を防止することができる。従って、抜け止め用部材を用いることなくシャーシにギアトレイ４を回動可能に保持し、さらに、ギアトレイ４を保持する部材の変形や破壊を防止することができる。
【００３１】
弾性ばね部４２は嵌合部３１１の内側に挿通される。この弾性ばね部４２の数は複数であることが好ましい。この場合、弾性ばね部４２が挿通される方向からみた平面視において、各弾性ばね部４２は嵌合部３１１の内面に沿って等間隔に配置される。また、各弾性ばね部４２は所定の隙間（たとえば１ｍｍ以上）をあけて配置される。
【００３２】
さらに、弾性ばね部４２の数は３つ以上であることがより好ましい。こうすれば、弾性ばね部４２が挿通される方向からみた平面視において、３つ以上の弾性ばね部４２は嵌合部３１１の内面に沿って等間隔に配置される。そのため、弾性ばね部４２が挿通される方向に対してどの角度から荷重がギアトレイ４に作用しても、弾性ばね部４２の弾性によりその荷重を緩和できる。従って、ボス３１の嵌合部３１１に伝達される荷重を安定して軽減又は遮断することができる。
【００３３】
なお、弾性ばね部４２は、ギアトレイ４の製造時に、ギアトレイ本体４１の凹部４１１の内面から１つ１つ延設されてもよい。或いは、弾性ばね部４２は、ギアトレイ４の製造時に、ギアトレイ本体４１の凹部４１１の内面から円筒状の樹脂壁を突設したのち、樹脂壁に沿って一定の間隔毎に樹脂壁を切削して、所定の隙間を形成することにより設けられてもよい。
【００３４】
爪部４３は、弾性ばね部４２に設けられる突片である。図９は、本実施形態に係る爪部を示す図である。なお、図９において、方向Ｒはギアトレイ４の回転軸に対する径方向を示す。方向Ｓは、ギアトレイ４の回転軸及び方向Ｒに垂直な方向を示す。方向Ｚは、弾性ばね部４２がボス３１の嵌合部３１１の内側に挿通される方向を示す。また、本実施形態では、方向Ｚはギアトレイ４の回転軸に平行な方向となっている。
【００３５】
図９に示すように、爪部４３は、弾性ばね部４２の先端部から弾性ばね部４２の側方（方向Ｒ）に向かって突出する。爪部４３はボス３１の係合部３１２と係合する。この係合により、爪部４３が係合部３１２を係止するため、ボス３１に対するギアトレイ４の抜けを防止することができる。
【００３６】
また、弾性ばね部４２の弾性は比較的高い。そのため、ギアトレイ４の爪部４３をボス３１の係合部３１２にスナップフィットで係合させることができる。言い換えると、ギアトレイ４の弾性ばね部４２が弾性変形した状態で、弾性ばね部４２をボス３１の嵌合部３１１の内側に挿通したのち、ギアトレイ４の爪部４３を嵌合部３１１の内側の係合部３１２に係合させることができる。従って、容易にギアトレイ４をボス３１に嵌合することができる。また、弾性ばね部４２の高い弾性により、ギアトレイ４に作用する荷重を緩和する能力がより高くなる。従って、ボス３１の嵌合部３１１に伝達される荷重を軽減又は遮断する効果をより高めることができる。
【００３７】
なお、この爪部４３は、弾性ばね部４２と一体であってもよいし、一体でなくてもよい。また、弾性ばね部４２から爪部４３が突出する位置は図９の構成に限定しない。たとえば、弾性ばね部４２の先端部以外の位置から爪部４３が突出してもよい。
【００３８】
また、爪部４３は、その上面４３１の略全面で係合部３１２と係合してもよいし、その上面４３１の一部で係合部３１２と係合してもよい。図１０は、本実施形態の第１変形例に係る爪部の一例を示す図である。第１変形例の爪部４３ａは、方向Ｓからみた平面視において、弾性ばね部４２の先端部からその側方（方向Ｒ）に対して斜め上方に突出する。ここで、弾性ばね部４２の側方に対して斜め上方とは、方向Ｒと、方向Ｚの反対方向との間の方向を指す。そのため、爪部４３ａの上面４３１ａでは、爪部４３ａの先端近傍の一部領域のみがボス３１の係合部３１２と係合する。こうすれば、ギアトレイ４に作用する荷重の回転軸方向の荷重成分を爪部４３の弾性により緩和することができる。従って、ボス３１に対するギアトレイ４の抜けを防止する効果をより高めることができる。
【００３９】
また、爪部４３の上面４３１において、ボス３１の係合部３１２と係合する部分は、平面であってもよいし、平面でなくてもよい。たとえば、爪部４３の上面４３１には、方向Ｒからみた第１の平面視、及び／又は方向Ｓからみた第２の平面視において、少なくとも１つの曲面又は角が形成されてもよい。
【００４０】
図１１は、本実施形態の第２変形例に係る爪部の一例を示す図である。第２変形例の爪部４３ｂでは、方向Ｒからみた第１の平面視において、爪部４３ｂの上面４３１ｂは１つの曲面が形成された形状となっている。さらに、方向Ｓからみた第２の平面視においても、爪部４３ｂの上面４３１ｂは１つの曲面が形成された形状となっている。
【００４１】
図１２は、本実施形態の第３変形例に係る爪部の一例を示す図である。第３変形例の爪部４３ｃでは、方向Ｒからみた第１の平面視において、爪部４３ｃの上面４３１ｃは３つの曲面が形成された形状となっている。さらに、方向Ｓからみた第２の平面視においても、爪部４３ｃの上面４３１ｃは２つの曲面が形成された形状となっている。なお、各平面視において、爪部４３ｃの上面４３１ｃは、複数の曲面が形成された形状であればよい。また、上面４３１に形成される曲面の配列も特に限定されない。
【００４２】
図１３は、本実施形態の第４変形例に係る爪部の一例を示す図である。第４変形例の爪部４３ｄでは、方向Ｒからみた第１の平面視において、爪部４３ｄの上面４３１ｄは１つの角が形成された形状となっている。さらに、方向Ｓからみた第２の平面視においても、爪部４３ｄの上面４３１ｄは１つの角が形成された形状となっている。
【００４３】
図１４は、本実施形態の第５変形例に係る爪部の一例を示す図である。第５変形例の爪部４３ｅでは、方向Ｒからみた第１の平面視において、爪部４３ｅの上面４３１ｃは３つの角が形成された形状となっている。また、方向Ｓからみた第２の平面視においても、爪部４３ｅの上面４３１ｅは２つの角が形成された形状となっている。なお、各平面視において、爪部４３ｅの上面４３１ｅは、複数の角が形成された形状であればよい。また、上面４３１に形成される角の配列も特に限定されない。
【００４４】
本実施形態の第２〜第５変形例の爪部４３のように、方向Ｒからみた第１の平面視、及び／又は方向Ｓからみた第２の平面視において、爪部４３の上面４３１を少なくとも１つの曲面又は角が形成される形状とすると、ギアトレイ４の爪部４３の上面４３１がボス３１の係合部３１２と係合する部分を狭くすることができる。言い換えると、爪部４３の上面４３１がボス３１の係合部３１２に当接し得る面積を少なくすることができる。そのため、ギアトレイ４が回動しているときに、爪部４３の上面４３１が係合部３１２に当接しても、当接した部分に生じる摩擦抵抗を少なくすることができる。従って、爪部４３の上面４３１が係合部３１２に当接しても、ギアトレイ４の回動が阻害され難くすることができる。
【００４５】
以上、本発明について実施形態をもとに説明した。この実施形態は例示であり、その各構成要素や各処理の組み合わせに色々な変形例が可能であり、本発明の範囲にあることは当業者に理解されるところである。
【符号の説明】
【００４６】
１      ディスクローダーユニット
２        ディスクトレイ
２１        トレイラック
３        ローダーシャーシ
３１        ボス
３１１        嵌合部
３１２        係合部
４        ギアトレイ
４１        ギアトレイ本体
４１１        凹部
４２        弾性ばね部
４３        爪部
４３１        上面
【図１】
2014044772.tif 000003
【図２】
2014044772.tif 000004
【図３】
2014044772.tif 000005
【図４】
2014044772.tif 000006
【図５】
2014044772.tif 000007
【図６】
2014044772.tif 000008
【図７】
2014044772.tif 000009
【図８】
2014044772.tif 000010
【図９】
2014044772.tif 000011
【図１０】
2014044772.tif 000012
【図１１】
2014044772.tif 000013
【図１２】
2014044772.tif 000014
【図１３】
2014044772.tif 000015
【図１４】
2014044772.tif 000016